(57)【要約】【課題】便利に携帯する又は使い勝手がよく、マイクロプロジェクターが統合されたノートパソコンを提供すること。【解決手段】本発明に係るノートパソコンは、本体と、前記本体に回動可能に連結されるカバー体と、前記カバー体内に収納されるマイクロプロジェクターと、弾出手段と、固定手段と、を備え、前記マイクロプロジェクターは、前記弾出手段と前記固定手段との協働により前記カバー体から突出できる。【選択図】図５
2011065637.tif 000002
【特許請求の範囲】
【請求項１】
本体と、
前記本体に回動可能に連結されるカバー体と、
前記カバー体内に収納されるマイクロプロジェクターと、
弾出手段と、
固定手段と、
を備えてなるノートパソコンであって、
前記マイクロプロジェクターは、前記弾出手段と前記固定手段との協働により前記カバー体から突出できることを特徴とするノートパソコン。
【請求項２】
前記マイクロプロジェクターの側面には、前記固定手段と互いに係合する係合凹溝が設けられていることを特徴とする請求項１の記載のノートパソコン。
【請求項３】
前記固定手段は、押圧部材及び係止部材を含み、
前記係止部材は、前記係合凹溝に係合される係止部、主体部及び前記カバー体に挟持される位置決め部を含み、
前記押圧部材は外力を受けると、前記主体部を推進して前記位置決め部を弾性変形させて、前記係止部を前記係合凹溝から離脱させることを特徴とする請求項２に記載のノートパソコン。
【請求項４】
前記カバー体は第一ケース及び第二ケースを含み、前記第一ケースの第一側壁には第一開口及び第一半円孔を有し、前記第二ケースの第二側壁には第二開口及び第二半円孔を有し、
前記第一ケースを前記第二ケースに被せた後、前記第一開口と前記第二開口とは前記マイクロプロジェクターを弾出させるための通路を構成し、
同時に、前記第一半円孔と前記第二半円孔とは前記押圧部材を部分的に露出させるための取付用孔を構成することを特徴とする請求項３に記載のノートパソコン。
【請求項５】
前記第二ケースの底板には、対向して配置される第一側板及び第二側板と、前記第一側板及び前記第二側板に垂直に連接する第三側板とによって囲んで形成される収容部が設けられ、
前記第一側板にはスライド溝が開設され、前記第二側板には第三開口が設けられることを特徴とする請求項４に記載のノートパソコン。
【請求項６】
前記第二ケースの底板には、前記収容部に連通する取付部がさらに設けられ、
前記取付部は、第二側壁の一部分、第四側板、第五側板及び第二側板の一部分が順次に直交して連接されて構成され、
前記第五側板の前記第四側板に近い一端には止め板が凸設され、前記位置決め部は前記止め板と前記第四側板との間に挟持されることを特徴とする請求項５に記載のノートパソコン。
【請求項７】
前記弾出手段は弾性部材及び推進部材を含み、前記弾性部材の一端は前記第二側壁の内側に固定され、前記弾性部材の他端は前記推進部材に固定され、
前記推進部材は前記スライド溝に沿って前記収容部内に設置されて、前記マイクロプロジェクターの末端に当止され、
前記弾性部材は弾性力を解放すると、前記推進部材は前記マイクロプロジェクターを推進して、前記マイクロプロジェクターを前記カバー体の通路から突出させることを特徴とする請求項５に記載のノートパソコン。
【発明の詳細な説明】
【技術分野】
【０００１】
本発明は、ノートパソコンに関し、特にマイクロプロジェクターが統合されたノートパソコンに関するものである。
【背景技術】
【０００２】
ノートパソコンはコンパクト化へ発展するに従って、そに使用される表示パネルのサイズもますます小さくなる。しかし、長時間で小型のノートパソコンを操作すると、目が疲れ易い。それ以外、会議中又は映画を見る場合に、多くの人は小型のノートパソコンに表示される画面を同時に閲覧することができず、非常に不便である。
【発明の概要】
【発明が解決しようとする課題】
【０００３】
従来の問題を解決するために、通常ノートパソコンを外部プロジェクターに接続して、前記プロジェクターを介して表示画面を適宜なサイズに拡大してから表示する。しかし、従来のプロジェクターの体積及び重量は大きく且つアクセスが複雑であるため、便利に携帯するか又は取り付けることができない。
【０００４】
本発明は上記の課題に鑑みてなされたものであり、便利に携帯する又は使い勝手がよく、マイクロプロジェクターが統合されたノートパソコンを提供することを目的とする。
【課題を解決するための手段】
【０００５】
前記問題を解決するために、本発明に係るノートパソコンは、本体と、前記本体に回動可能に連結されるカバー体と、前記カバー体内に収納されるマイクロプロジェクターと、弾出手段と、固定手段と、を備え、前記マイクロプロジェクターは、前記弾出手段と前記固定手段との協働により前記カバー体から弾出できる。
【発明の効果】
【０００６】
従来の技術に比べて、本発明のマイクロプロジェクターはノートパソコンのカバー体内に収納されるので、ユーザーにとって携帯し易い。前記マイクロプロジェクターを使用する場合、前記押圧部材を押圧するだけで、前記マイクロプロジェクターを前記カバー体から弾出させることができるので、使い勝手が向上する。また、前記マイクロプロジェクターを使用しない場合、前記マイクロプロジェクターを前記カバー体内に収納して固定することができるので、前記マイクロプロジェクターが損壊されることを確実に防止できる。
【図面の簡単な説明】
【０００７】
【図１】本発明の実施形態に係るノートパソコンの立体図である。
【図２】図１に示すノートパソコンのカバー体の立体分解図である。
【図３】図２に示すノートパソコンのカバー体の組立図である。
【図４】図３に示すカバー体にマイクロプロジェクターを装着する時のＩＶ−ＩＶ線に沿う断面図である。
【図５】図４に示すカバー体のマイクロプロジェクターが弾出された時のＩＶ−ＩＶ線に沿う断面図である。
【発明を実施するための形態】
【０００８】
図１に示すように、本発明の実施形態に係るノートパソコン１００は、本体１０と、前記本体１０に回動可能に連結されるカバー体２０と、前記カバー体２０内に収納されるマイクロプロジェクター３０と、弾出手段４０と、固定手段５０と、を備える。前記マイクロプロジェクター３０は、前記弾出手段４０及び前記固定手段５０に駆動されて前記カバー体２０から弾出することができる。
【０００９】
前記本体１０は矩形を呈し、前記本体１０の前記カバー体２０に対面する表面にはキーエリア１０１及びタッチエリア１０２が配置されている。前記カバー体２０の形状及びサイズは、前記本体１０の形状及びサイズにほぼ一致し、第一ケース２１及び第二ケース２２を含む。前記第一ケース２１及び前記第二ケース２２は皆矩形であり、相互に係合して前記カバー体２０を構成する。
【００１０】
図２に示すように、前記第一ケース２１は、矩形の上板２１１及び前記上板２１１の周辺に直交する四つの第一側壁２１２を含む。前記上板２１１の前記本体１０に対面する片側には、表示パネル２１３が配置されている。前記第一ケース２１の１つの第一側壁２１２には、矩形の第一開口２１２１及び第一半円孔２１２２が設けられている。
【００１１】
前記第二ケース２２は、前記上板２１１のサイズや形状にほぼ一致する底板２２１と、前記底板２２１の周辺に直交する四つの第二側壁２２２と、を含む。前記第二ケース２２の１つの第二側壁２２２には、前記第一開口２１２１及び前記第一半円孔２１２２に対応する第二開口２２２１及び第二半円孔２２２２が設けられている。
【００１２】
図３に示すように、前記第二ケース２２と前記第一ケース２１とを係合した後、前記第一開口２１２１と前記第二開口２２２１とを組み合せて、前記マイクロプロジェクター３０を弾出させる通路（図示せず）を形成し、前記第一半円孔２１２２と前記第二半円孔２２２２とを互いに組み合せて、前記固定手段５０を部分的に露出させる円形の取付用孔（図示せず）を形成する。前記第二側壁２２２の内表面における前記第二開口２２２１に近い箇所には、位置決めブロック２２２３（図４を参照）が突設される。前記位置決めブロック２２２３は、前記弾出手段４０を固定するための固定穴２２２４を有する。
【００１３】
前記底板２２１の前記第一ケース２１に対面する片側には、前記マイクロプロジェクター３０を収納するための収容部２２３及び前記固定手段５０を取付けるための取付部２２４が設けられている。
【００１４】
前記収容部２２３は、対向して設置される第一側板２２３１及び第二側板２２３２と、前記第一側板２２３１及び前記第二側板２２３２に垂直に連結する第三側板２２３３とによって囲んで形成される。前記収容部２２３は、前記第二開口２２２１と互いに連通し、前記第三側板２２３３は、前記第二開口２２２１に対向する。前記第一側板２２３１及び前記第二側板２２３２の、各々前記第三側板２２３３から離れた一端は、前記第二開口２２２１の両端を構成し、且つそれぞれ前記第二側壁２２２に直交して連接する。前記第一側板２２３１の片側にはスライド溝２２３４が設けられ、前記第二側板２２３２の前記第二開口２２２１に近接した一端には第三開口２２３５が設けられる。前記第三開口２２３５の一方側の第二側板２２３２は、前記第一側板２２３１から離れるように垂直に折り曲げられて延伸端２２３６を形成する。
【００１５】
前記取付部２２４は、前記収容部２２３に隣接し且つ前記第二半円孔２２２２に対応して設けられる。前記取付部２２４は、略矩形の筐状体であり、前記第二側壁２２２の一部分、第四側板２２４１、第五側板２２４２及び前記第二側板２２３２の一部分が順次に直交して連接されて構成する。前記取付部２２４は、前記第三開口２２３５を介して前記収容部２２３と互いに連通する。前記第五側板２２４２の前記第四側板２２４１に近い一端には、前記固定手段５０を装着するための止め板２２４３が突設される。
【００１６】
前記マイクロプロジェクター３０は、常用のプロジェクターであってもよく、略直方体であり、前記収容部２２３内に収納される。前記マイクロプロジェクター３０の１つの側面には、係合凹溝３１が設けられる。前記マイクロプロジェクター３０を前記収容部２２３内に配置した後、前記係合凹溝３１はちょうど前記第三開口２２３５に対応され、且つ前記固定手段５０と互いに組み合せて、前記マイクロプロジェクター３０を前記収容部２２３内に固定させる。
【００１７】
前記弾出手段４０は、弾性部材４１及び推進部材４２を含む。前記弾性部材４１は、コイルバネであり、その一端は前記位置決めブロック２２２３の固定穴２２２４に固定され、その他端は前記推進部材４２に固定される。前記推進部材４２は、連接部４２１、推進部４２２及び前記推進部４２２に直交して設けられるリブ４２３を含む。前記連接部４２１は、前記推進部４２２の側面に直交して延伸する。前記推進部４２２の一端は、前記リブ４２３が前記第三側板２２３３に当接されるまで前記スライド溝２２３４に沿って前記収容部２２３内でスライドできる。前記マイクロプロジェクター３０を前記収容部２２３内に完全に収納した後、前記推進部材４２は前記マイクロプロジェクター３０の末端に押されて前記収容部２２３の最も奥に位置される。従って、前記弾性部材４１は引っ張られて前記推進部材４２を駆動する反発力を蓄積する。
【００１８】
前記固定手段５０は、押圧部材５１及び係止部材５２を含む。前記押圧部材５１は、円柱状の押しボタンである押圧部５１１と、前記押圧部５１１に連接する延伸部５１２と、前記押圧部５１１と前記延伸部５１２との接続部位に設けられる環状の脱落防止部５１３と、を含む。前記脱落防止部５１３の直径は前記取付用孔の直径より大きく、前記押圧部５１１は前記取付用孔内で移動できる。前記延伸部５１２は細長いロッドであり、その末端の端面は斜面である。
【００１９】
前記係止部材５２は、細長い帯状体から加工され、主体部５２１と、前記主体部５２１の両側に位置する係止部５２２及び位置決め部５２３と、を含む。前記主体部５２１の中部には矩形の貫通孔５２１１が設けられ、前記貫通孔５２１１の一方には、片体５２１２が折り曲げられて形成する。前記押圧部材５１の延伸部５１２は、前記貫通孔５２１１を貫いてから前記片体５２１２に当止される。前記係止部５２２は、略楔形体であり、前記主体部５２１の一端から突出される。前記係止部５２２は、前記係合凹溝３１に係合して、前記マイクロプロジェクター３０を前記収容部２２３内に固定する。前記位置決め部５２３は、細長い２つの板バネから構成され、前記主体部５２１の他端から前記係止部５２２の突出方向と相反する方向へ折り曲げられて形成し、且つ前記止め板２２４３と前記第四側板２２４１との間に挟持される。
【００２０】
前記押圧部材５１が外力を受けて前記片体５２１２に当止されると、前記位置決め部５２３は前記第四側板２２４１に向って弾性変形して、前記係止部５２２を前記係合凹溝３１から離脱させて前記取付部２２４の内部へ後退させる。前記押圧部材５１に印加する外力を除去すると、前記位置決め部５２３は前記第四側板２２４１から離れるように弾性回復して、前記係止部５２２を前記収容部２２３内に伸び込み且つそれを前記係合凹溝３１内に係合させる。
【００２１】
図２乃至図５を参照すると、前記ノートパソコン１００のカバー体２０を組み立てる場合、まず、前記弾性部材４１の一端を前記位置決めブロック２２２３に固定すると共に、前記弾性部材４１の他端を前記推進部材４２に固定する。それから前記推進部材４２の推進部４２２を前記スライド溝２２３４に沿って前記収容部２２３内に設置する。
【００２２】
次に、前記係止部材５２を前記取付部２２４内に設置して、その２つの位置決め部５２３を前記止め板２２４３と前記第四側板２２４１との間に挟持させ、その係止部５２２を前記第三開口２２３５から露出させる。それから前記押圧部材５１の押圧部５１１を前記第二半円孔２２２２内に収納して、前記押圧部材５１の延伸部５１２を前記貫通孔５２１１を貫いて前記片体５２１２に当止させる。
【００２３】
最後に、前記マイクロプロジェクター３０を前記収容部２２３内に推進すると、前記係止部５２２は前記マイクロプロジェクター３０の側面に押し退けられて前記取付部２２４内に縮み込まれる。前記マイクロプロジェクター３０が前記収容部２２３内に完全に収容されると、前記係合凹溝３１と前記第三開口２２３５との位置が合わせされ、この際、前記位置決め部５２３は弾性回復して、前記係止部５２２を前記第三開口２２３５から弾出させて、前記係合凹溝３１内に係合させる。このように、前記マイクロプロジェクター３０を前記収容部２２３内に固定した。前記第一ケース２１を前記第二ケース２２に係合すると、前記カバー体２０の組立が終わる。
【００２４】
前記マイクロプロジェクター３０を使用する場合、ユーザーは前記押圧部５１１を押圧して、前記延伸部５１２により前記片体５２１２を推進すると、前記位置決め部５２３は再び弾性変形すると共に、前記係止部５２２を牽引して前記係合凹溝３１から離脱させる。この際、前記マイクロプロジェクター３０は前記弾性部材４１の反発力により、前記第一開口２１２１と前記第二開口２２２１とによって構成される通路から突出する。これで、ユーザーは、前記マイクロプロジェクター３０を利用して投影などの操作を行える。
【００２５】
前記マイクロプロジェクター３０を使用しない場合、前記マイクロプロジェクター３０を前記収容部２２３内に押し込んで、前記固定手段５０の係止部５２２を前記係合凹溝３１に係合させる。
【００２６】
なお、前記マイクロプロジェクター３０の側面における前記係合凹溝３１から離れた一端に位置決め溝（図示せず）を設けることができる。前記マイクロプロジェクター３０は、前記収容部２２３から突出された後、前記係止部５２２は前記位置決め溝と互いに係合して、前記マイクロプロジェクター３０を固定して、前記マイクロプロジェクター３０が前記通路から滑り出すことを防止する。
【００２７】
なお、前記カバー体２０の通路と取付用孔とを前記表示パネル２１３の短辺側に設けてもよい。これに従って前記位置決めブロック２２２３、前記収容部２２３及び前記取付部２２４も前記カバー体２０の短辺側に設けられる。この場合、前記マイクロプロジェクター３０は前記弾出手段４０及び前記固定手段５０により、前記カバー体２０の短辺側に突出可能に収納される。
【００２８】
前記マイクロプロジェクター３０は、前記ノートパソコン１００のカバー体２０内に収納されるので、ユーザーにとって携帯し易い。前記マイクロプロジェクター３０を使用する場合、前記押圧部材５１を押圧するだけで、前記マイクロプロジェクター３０を前記カバー体２０から突出させることができるので、使い勝手が向上する。また、前記マイクロプロジェクター３０を使用しない場合、前記マイクロプロジェクター３０を前記カバー体２０内に収納して固定することができるので、前記マイクロプロジェクター３０が損壊されることを確実に防止できる。
【００２９】
以上、本発明の好適な実施形態について詳細に説明したが、本発明は前記実施形態に限定されるものではなく、本発明の範囲内で種々の変形又は改良が可能であり、該変形又は改良も、本発明の特許請求の範囲内に含まれるものであるのがいうまでもない。
【符号の説明】
【００３０】
１０      本体
２０      カバー体
２１      第一ケース
２２      第二ケース
３０      マイクロプロジェクター
３１      係合凹溝
４０      弾出手段
４１      弾性部材
４２      推進部材
５０      固定手段
５１      押圧部材
５２      係止部材
１００    ノートパソコン
１０１    キーエリア
１０２    タッチエリア
２１１    上板
２１２    第一側壁
２１３    表示パネル
２２１    底板
２２２    第二側壁
２２３    収容部
２２４    取付部
４２１    連接部
４２２    推進部
４２３    リブ
５１１    押圧部
５１２    延伸部
５１３    脱落防止部
５２１    主体部
５２２    係止部
５２３    位置決め部
２１２１  第一開口
２１２２  第一半円孔
２２２１  第二開口
２２２２  第二半円孔
２２２３  位置決めブロック
２２２４  固定穴
２２３１  第一側板
２２３２  第二側板
２２３３  第三側板
２２３４  スライド溝
２２３５  第三開口
２２３６  延伸端
２２４１  第四側板
２２４２  第五側板
２２４３  止め板
５２１１  貫通孔
５２１２  片体
【図１】
2011065637.tif 000003
【図２】
2011065637.tif 000004
【図３】
2011065637.tif 000005
【図４】
2011065637.tif 000006
【図５】
2011065637.tif 000007